【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】  裏面シートと、
前記裏面シートに取り付けられている液体透過性上面シートと、
前記上面シートと前記裏面シートとの間に配置されている吸収性コアとを備える吸収性物品であって、
前記吸収性コアは、セルロース系繊維及び少なくとも１重量％の結合材料を含む成型繊維ウェブを備え、前記繊維ウェブは、隆起区域と凹型区域を含む身体側表面と、外側表面とを備えており、少なくとも５０グラム／平方メートルの坪量と、少なくとも２ｍｍの表面高さを有しており、
前記成型繊維ウェブは、少なくとも６ｃｍの長さ及び少なくとも１．５ｃｍの幅をもつ弾性のある中央縦軸方向隆起部を有しており、前記中央縦軸方向隆起部は、少なくとも１つの細長い凹型リングにより取り囲まれており、前記繊維ウェブは、更に縦軸方向に複数の前記縦軸方向隆起部から離れている曲げ区域を備え、前記曲げ区域の各々は、成型された横軸方向隆起区域に隣接する凹型区域を備えることを特徴とする吸収性物品。
【請求項２】  裏面シートと、
前記前記裏面シートに取り付けられている液体透過性上面シートと、
前記上面シートと前記裏面シートとの間に配置されている吸収性コアとを備える吸収性物品であって、
前記吸収性コアは、セルロース系繊維及び少なくとも５重量％の熱可塑性結合材料を有する成型繊維ウェブを備え、該成型繊維ウェブは、隆起区域と凹型区域を含む身体側表面と、外側表面とを備えており、少なくとも５０グラム／平方メートルの坪量と、少なくとも２ｍｍの全表面深さを有しており、
前記成型繊維ウェブの前記上面シートが前記身体側表面と緊密に合致するように、前記上面シートと共に所定位置に熱成型されていることを特徴とする吸収性物品。
【請求項３】  裏面シートと、
前記前記裏面シートに取り付けられている液体透過性上面シートと、
前記上面シートと前記裏面シートとの間に配置されている吸収性コアとを備える吸収性物品であって、
前記吸収性コアは、縦軸方向と、横軸方向と、垂直方向と、身体側表面と、衣類側表面とを含む３次元の上側吸収性層を有し、該上側吸収性層は、セルロース系繊維と前記繊維を３次元形状に安定化するための耐水性結合材料とを含む成型空気堆積ウェブを含んでおり、
前記上側吸収性層の前記身体側表面は、前記縦軸方向に延びる中央隆起領域を含む複数の成型隆起領域を有し、前記上側吸収性層の衣類側表面は、前記上側吸収性層の身体側表面上の隆起領域に対応する複数の凹部を有し、前記凹部は、前記上側吸収性層との間に空間を形成することを特徴とする吸収性物品。
【請求項４】  縦軸方向と、２つの縦軸方向端部と、横軸方向と、２つの縦軸方向側部と、身体側とを有する吸収性物品であって、
液体不透過性の裏面シートと、
前記裏面シートに取り付けられる液体透過性の上面シートと、
セルロース系繊維及び耐水性結合材料を含む成型空気堆積ウェブを含み、前記縦軸方向へ延びる長円形形状の隆起した中央隆起部と、前記横軸方向に延び、前記中央隆起部と前記成型空気堆積ウェブの縦軸方向端部の少なくとも１つとの間に配置される複数の成型曲げ区域とを有する、吸収性コアと、
を備えることを特徴とする吸収性物品。
【請求項５】  縦軸方向と、２つの縦軸方向端部と、身体側とを有する吸収性物品であって、
液体不透過性の裏面シートと、
前記裏面シートに取り付けられる液体透過性の上面シートと、
セルロース系繊維及び耐水性結合材料を含む成型空気堆積ウェブを含み、重ね合わされた複数の成型空気堆積ウェブの隆起部分によって形成される中央隆起部を更に含む吸収性コアと、
を備えることを特徴とする吸収性物品。
【請求項６】  縦軸方向と、横軸方向と、身体側表面と、衣類側表面とを有し、裏面シートと、前記裏面シートに取り付けられている液体透過性上面シートと、前記上面シートと前記裏面シートとの間に配置されている吸収性コアとを備える吸収性物品であって、
下側吸収性層と、
セルロース系繊維と前記繊維を３次元形状に安定化するための耐水性結合材料とを含む成型空気堆積ウェブを含む上側吸収性層と、
前記下側吸収性層と前記上側吸収性層との間に配置されるウィッキング障壁とを備え、
前記上側吸収性層の前記身体側表面は、約２ｍｍ又はそれ以上の高さの中央隆起領域を含む複数の隆起領域を有し、前記上側吸収性層の衣類側表面は、前記上側吸収性層の身体側表面上の隆起領域に対応する複数の凹部を有していることを特徴とする吸収性物品。
【請求項７】  前記繊維ウェブは、少なくとも３ｍｍの表面高さをもつことを特徴とする請求項１から６のいずれかに記載の吸収性物品。
【請求項８】  前記繊維ウェブは、少なくとも５ｍｍの表面高さをもつことを特徴とする請求項１から６のいずれかに記載の吸収性物品。
【請求項９】  前記中央縦軸方向隆起部は、２重アーチ形の横軸方向断面をもつことを特徴とする請求項１、４または５のいずれかに記載の吸収性物品。
【請求項１０】  前記中央縦軸方向隆起部は、２重アーチ形の縦軸方向断面をもつことを特徴とする請求項１、４又は５に記載の吸収性物品。
【請求項１１】  前記繊維ウェブは、空気堆積ウェブであることを特徴とする請求項１または２に記載の吸収性物品。
【請求項１２】  前記結合材料は、熱可塑性結合材料を含むことを特徴とする請求項１から６のいずれかに記載の吸収性物品。
【請求項１３】  前記結合材料は、シースコア繊維を含むことを特徴とする請求項１２に記載の吸収性物品。
【請求項１４】  前記結合材料は、熱硬化性材料を含むことを特徴とする請求項１、３、４、５または６に記載の吸収性物品。
【請求項１５】  前記結合材料は、
（ａ）カルボン酸及び触媒、
（ｂ）エポキシド結合材、
（ｃ）ラテックス、
のうち少なくとも１つを含むことを特徴とする請求項１４に記載の吸収性物品。
【請求項１６】  前記結合材料は、セルロース系繊維と比較してマイクロ波及び無線周波数エネルギーの少なくとも１つを選択的に吸収する複合体を含むことを特徴とする請求項１から６のいずれかに記載の吸収性物品。
【請求項１７】  前記結合材料は、水分解性繊維を含むことを特徴とする請求項１、２または５に記載の吸収性物品。
【請求項１８】  前記繊維ウェブは、コフォームを含むことを特徴とする請求項１または２に記載の吸収性物品。
【請求項１９】  前記繊維ウェブは、紙繊維及び超吸収性繊維を含むことを特徴とする請求項１または２に記載の吸収性物品。
【請求項２０】  超吸収性粒子を更に含むことを特徴とする請求項１から６のいずれかに記載の吸収性物品。
【請求項２１】  前記中央縦軸方向隆起の下に空間を更に備えることを特徴とする請求項１、４または５のいずれかに記載の吸収性物品。
【請求項２２】  前記中央縦軸方向隆起部の下に配置される機能性材料を更に備えることを特徴とする請求項２１に記載の吸収性物品。
【請求項２３】  前記機能性材料は、臭気吸着化合物、臭気遮蔽剤、抗菌複合体、皮膚健康剤又は健康増進剤の少なくとも１つを含むことを特徴とする請求項２１に記載の吸収性物品。
【請求項２４】  前記機能性材料は、流動性の吸収性粒子及び超吸収性材料の少なくとも1つを含むことを特徴とする請求項２１に記載の吸収性物品。
【請求項２５】  前記中央縦軸方向隆起部の下の空間に配置される疎水性材料を更に備えることを特徴とする請求項２１に記載の吸収性物品。
【請求項２６】  少なくとも２つの複数の前記曲げ区域の前記凹型区域は、前記中央縦軸方向隆起部を取り囲む1つ又は２つの細長い同心リングの上に位置し、前記1つ又は２つの細長い同心リングは、前記中央縦軸方向隆起部に隣接する前記細長い凹型リングと間隔をあけて離れていることを特徴とする請求項１に記載の吸収性物品。
【請求項２７】  前記繊維ウェブの前記中央縦軸方向隆起部に穿孔を更に含むことを特徴とする請求項１、４または５に記載の吸収性物品。
【請求項２８】  前記成型繊維ウェブは波形形状であることを特徴とする請求項１から６のいずれかに記載の吸収性物品。
【請求項２９】  前記成型繊維ウェブ上に配置される少なくとも１つの吸収性層を更に含み、前記少なくとも１つの吸収性層は、前記成型繊維ウェブの前記中央隆起部が突出する中央開口を有することを特徴とする請求項１から６のいずれかに記載の吸収性物品。
【請求項３０】  前記少なくとも１つの吸収性層は、使用時に着用者の身体側へ自由に曲がる中央内側端部を有することを特徴とする請求項２９に記載の吸収性物品。
【請求項３１】  前記上面シートは、最初に、接着剤を用いることなく前記繊維ウェブの前記身体側表面に結合されることを特徴とする請求項１から６のいずれかに記載の吸収性物品。
【請求項３２】  前記成型空気堆積ウェブに隆起領域に関連するスリットを更に備え、前記成型空気堆積ウェブに流体を受容できる垂直間隙が形成されることを特徴とする請求項６に記載の吸収性物品。
【請求項３３】  少なくとも1つの前記成型繊維ウェブは、前記縦方向に延びえる身体側面に成型された流れチャネルを備えるものであることを特徴とする請求項１から６のいずれかに記載の吸収性物品。
【請求項３４】  前記複数の成型空気堆積ウェブの少なくとも１つは、その身体側表面上に、縦軸方向に延びる成型流路を備えることを特徴とする請求項１から６のいずれかに記載の吸収性物品。
【請求項３５】  横軸方向と、縦軸方向中心線とを有し、高さが縦軸方向中心線に向かって大きくなり、縦軸方向両側部に向かって小さくなる、一連の山谷により特徴付けされる、横軸方向の断面形状を有する少なくとも１つの成型空気堆積ウェブを更に含むことを特徴とする請求項１から６のいずれかに記載の吸収性物品。
【請求項３６】  高さが縦軸方向中心線に向かって大きくなり、縦軸方向両側部に向かって小さくなる、一連の山谷により特徴付けされる、横軸方向の断面形状を有する少なくとも２つの成型空気堆積ウェブを含むことを特徴とする請求項３５に記載の吸収性物品。
【請求項３７】  前記複数の成型空気堆積ウェブの２つの間に配置されるウィッキング障壁を更に含むことを特徴とする請求項５に記載の吸収性物品。
【請求項３８】  前記吸収性コアは、中央空間を有する外側吸収性部材と、少なくとも部分的に前記中央空間内に配置される中央吸収性部材とを備え、前記ウィッキング障壁は、前記中央空間内で垂直距離にわたって広がっていることを特徴とする請求項３７に記載の吸収性物品。
【請求項３９】  前記ウィッキング障壁は、前記外側吸収性部材の身体側表面上の水平方向の間隔に広がっていることを特徴とする請求項３８に記載の吸収性物品。
【請求項４０】  前記物品の前記身体側へ向かう上側空気堆積ウェブを更に含み、前記上側空気堆積ウェブは、前記身体側表面部分上に疎水性物質を更に含むことを特徴とする請求項５に記載の吸収性物品。
【請求項４１】  前記物品はおしめであり、サイド耳部及び前記おしめを着用者の身体に保持するためのファスナを更に含むことを特徴とする請求項１から６のいずれかに記載の吸収性物品。
【請求項４２】  前記複数の成型空気堆積ウェブの上側層は、前記裏面シートへ向かって凹状の中央隆起部を備え、前記複数の空気堆積ウェブの少なくとも１つの別の層は、前記上面シートに向かって凹状の中央隆起部を備えることを特徴とする請求項５に記載の吸収性物品。
【請求項４３】  前記上側吸収性層は、隆起領域に関連する複数のスリットを更に含み、前記隆起領域の複数が、前記上側吸収性層において垂直間隙を形成するよになっていることを特徴とする請求項６に記載の吸収性物品。
【請求項４４】  前記下側吸収性層は、前記上側吸収性層の少なくとも一部分を受容する空間を含むことを特徴とする請求項６に記載の吸収性物品。